(57)【要約】【課題】配管孔を用いた配管部分と用いていない配管部分との両方に使用することができる配管継手を提供する。【解決手段】この発明の配管継手１００は、取付面に取り付けられる下カバー部１１０と、この下カバー部１１０を覆うように装着される上カバー部１２０と、  配管を挿通するために設けられた側面開口部１２１，１２２，１２３とを備える。下カバー部１１０は、取付面に当接させて固定される下カバー本体１１１と、取付面に形成された配管孔と連通させるために該下カバー本体１１１に形成された背面開口部１１２と、背面開口部１１２を塞ぐように設けられた背面板部１１３とを備える。下カバー本体１１１と背面板部１１３とは、複数個の連結片１１４で連結された状態で、一体に形成されている。背面板部１１３は、これらの連結片１１４を切断することによって、下カバー本体１１１から取り外すことができる。【選択図】図２
2015014341.tif 000002
【特許請求の範囲】
【請求項１】
取付面に取り付けられる下カバー部と、
前記下カバー部に装着されて、該下カバー部を覆う上カバー部と、
配管を挿通するために設けられた側面開口部と、
を備える配管用継手であって、
前記下カバー部は、
前記取付面に当接させて固定される下カバー本体と、
前記取付面に形成された配管孔と連通させるために該下カバー本体に形成された背面開口部と、
該背面開口部を塞ぐように設けられた、取り外し可能な背面板部と、
を有することを特徴とする配管継手。
【請求項２】
前記下カバー部は、
前記下カバー本体と前記背面板部とが、複数個の連結片で連結された状態で、一体に形成されており、
前記連結片を切断することにより、前記背面板部が取り外される、
ことを特徴とする請求項１に記載の配管継手。
【請求項３】
前記背面板部が、着脱可能に設けられたことを特徴とする請求項１に記載の配管継手。
【請求項４】
前記下カバー部は、前記下カバー本体から垂直方向に延設されたガイド片と、該ガイド片の下端部に形成された第１の嵌合部とを備え、
前記上カバー部は、前記ガイド片に案内されて前記下カバー部へ装着されるときに前記第１の嵌合部に嵌合される第２の嵌合部を備える、
ことを特徴とする請求項１乃至３のいずれかに記載の配管継手。
【請求項５】
前記上カバー部は、平面視において略Ｔ字状を呈し、前記側面開口部はＴ字状の各突出部位に計３か所形成されていることを特徴とする請求項１乃至４の何れかに記載の配管継手。
【請求項６】
取付面に取り付けられる下カバー部と、
前記下カバー部に装着されて、該下カバー部を覆う上カバー部と、
配管を挿通するために設けられた側面開口部と、
を備える配管用継手であって、
前記下カバー部は、
前記取付面に当接させて固定される下カバー本体と、
前記取付面に形成された配管孔と連通させるために該下カバー本体に形成された背面開口部と、
を有することを特徴とする配管継手。
【発明の詳細な説明】
【技術分野】
【０００１】
この発明は、家屋の壁等に配管構造を施設する為に使用される、配管継手に関する。この発明は、例えば、空調用の冷媒管やドレン管等の配管に適用して、好適である。
【背景技術】
【０００２】
従来の配管継手としては、例えば、下記特許文献１に記載されたものが知られている。特許文献１の例（特許文献１の第８図参照）では、家屋の室内に２台の室内機が設置されると共に、屋外には１台の室外機が設置されている。また、家屋の壁には、各室内機に対応させて、２個の配管孔が形成されている。そして、家屋の外壁面には、これらの配管孔と連通するように、二系統の配管が設けられている。これら二系統の配管は、配管継手によって１系統にまとめられて、室外機に導かれている。
【先行技術文献】
【特許文献】
【０００３】
【特許文献１】実開昭６２−９６１９６号公報
【発明の概要】
【発明が解決しようとする課題】
【０００４】
上記特許文献１の配管構造では、室内機の台数と同数の配管孔を家屋の壁に設ける必要があるので、配管工事の労力や費用が高くなる場合がある。従って、複数の室内機の配管を屋内で一系統にまとめて、１個の配管孔から屋外に導きたい場合がある。
【０００５】
その一方で、上記特許文献１の配管構造のように、家屋の部屋毎に配線孔を設けて室内機の配管を通し、屋外で１系統にまとめたいような場合も多い。
【０００６】
このように、空調機等の配管構造は、屋内配管・屋外配管の区別や、家屋の構造や、室内機の設置位置等の、様々な条件に応じて、適宜決定されるのが一般的である。
【０００７】
このような様々な態様の配管構造において、配管工事の費用を低く抑えるためには、配管継手を共通化することが望ましい。
【０００８】
この発明の課題は、配管孔を用いた配管部分と用いていない配管部分との両方に使用することができ、これにより配管工事の費用を低減することができる、配管継手を提供することにある。
【課題を解決するための手段】
【０００９】
かかる目的を達成するため、請求項１に記載の発明は、取付面に取り付けられる下カバー部と、前記下カバー部に装着されて、該下カバー部を覆う上カバー部と、配管を挿通するために設けられた側面開口部とを備える配管用継手であって、前記下カバー部は、前記取付面に当接させて固定される下カバー本体と、前記取付面に形成された配管孔と連通させるために該下カバー本体に形成された背面開口部と、該背面開口部を塞ぐように設けられた、取り外し可能な背面板部とを有することを特徴とする。
【００１０】
また、請求項２に記載の発明は、請求項１に記載の構成に加え、前記下カバー部は、前記下カバー本体と前記背面板部とが、複数個の連結片で連結された状態で、一体に形成されており、前記連結片を切断することにより、前記背面板部が取り外されることを特徴とする。
【００１１】
また、請求項３に記載の発明は、前記背面板部が、着脱可能に設けられたことを特徴とする。
【００１２】
また、請求項４に記載の発明は、請求項１乃至３のいずれかに記載の構成に加え、前記下カバー部は、前記下カバー本体から垂直方向に延設されたガイド片と、該ガイド片の下端部に形成された第１の嵌合部とを備え、前記上カバー部は、前記ガイド片に案内されて前記下カバー部へ装着されるときに前記第１の嵌合部に嵌合される第２の嵌合部とを備えることを特徴とする。
【００１３】
また、請求項５に記載の発明は、請求項１乃至４の何れかに記載の構成に加え、前記上カバー部は、平面視において略Ｔ字状を呈し、前記側面開口部はＴ字状の各突出部位に計３か所形成されていることを特徴とする。
【００１４】
また、請求項６に記載の発明は、取付面に取り付けられる下カバー部と、前記下カバー部に装着されて、該下カバー部を覆う上カバー部と、配管を挿通するために設けられた側面開口部とを備える配管用継手であって、前記下カバー部は、前記取付面に当接させて固定される下カバー本体と、前記取付面に形成された配管孔と連通させるために該下カバー本体に形成された背面開口部とを有することを特徴とする。
【発明の効果】
【００１５】
請求項１及び６の発明によれば、配管継手の下カバー本体に背面開口部を形成することにしたので、複数系統の配管を配管継手で一系統にまとめて、そのまま１個の配管孔に挿通することができ、また、配管構造の外観を良好なものにすることができる。
【００１６】
また、請求項１の発明によれば、背面開口部を使用しない場合は、背面板部で塞いでおくことができるので、壁の室外側に配管継手を取り付けた場合でも、この配管継手内への虫の侵入等を抑えることができ、更には、該配管継手の取付面への取付強度や配管継手自体の強度を確保することができる。
【００１７】
請求項２の発明によれば、連結片を切断するだけで背面板部を取り外すことができるので、取り扱いが容易であると共に、配管継手の構造が簡単で安価に製造できる。
【００１８】
請求項３の発明によれば、背面板部を着脱自在としたので、配管継手の取り扱いが容易になる。
【００１９】
請求項４の発明によれば、下カバー部に差し込むだけで上カバー部を装着できるので、配線工事の労力を低減することができる。
【００２０】
請求項５の発明によれば、３個の前記側面開口部を備えるので、二系統の配線を一系統にまとめたい場合にも、この発明の配管継手をそのまま使用することができる。
【図面の簡単な説明】
【００２１】
【図１】この発明の実施の形態１に係る配管継手の全体構成を概略的に示す斜視図である。
【図２】この発明の実施の形態１に係る配管継手の全体構成を概略的に示す分解斜視図である。
【図３】この発明の実施の形態１に係る配管継手の下カバー部の構成を概略的に示す分解斜視図である。
【図４】この発明の実施の形態１に係る配管継手の装着機構の構成を概略的に示す部分断面図である。
【図５】この発明の実施の形態１に係る配管継手の使用方法のうち、配管継手を配管孔と連通させる場合の一例を概念的に示す分解斜視図である。
【図６】この発明の実施の形態１に係る配管継手の使用方法のうち、配管継手を配管孔と連通させない場合の一例を概念的に示す分解斜視図である。
【図７】（ａ）、（ｂ）共に、この発明の実施の形態１に係る配管継手を用いた配管構造のうち、配管継手を配管孔と連通させる構造の例を示す概念図である。
【図８】（ａ）、（ｂ）共に、この発明の実施の形態１に係る配管継手を用いた配管構造のうち、配管継手を配管孔と連通させない構造の例を示す概念図である。
【発明を実施するための形態】
【００２２】
［発明の実施の形態１］  
以下、この発明の実施の形態１について、図１乃至図８を用いて説明する。
【００２３】
図１乃至図４は、この実施の形態１に係る配管継手の構成を示す概略図であり、図１は全体構成を示す斜視図、図２は全体構成を示す分解斜視図、図３は下カバー部の構成を示す分解斜視図、図４は装着機構の構成を示す部分断面図である。
【００２４】
図１乃至図４に示すように、この実施の形態１に係る配管継手１００は、平面視が略Ｔ字状を呈しており、下カバー部１１０と上カバー部１２０とを備えている。下カバー部１１０及び上カバー部１２０は、例えば樹脂で形成することができる。
【００２５】
下カバー部１１０は、例えば家屋の内壁等の取付面（図１乃至図４には示さず）に取り付け固定される。
【００２６】
この下カバー部１１０は、下カバー本体１１１を備えている。この下カバー本体１１１は、図２等に示したように、ねじ孔１１１ａ，１１１ｂ，１１１ｃを用いて、取付面にねじ止めされる。なお、下カバー部１１０の中央部にも、ねじ孔１１３ａが設けられているが、後述するように、このねじ孔１１３ａは、配管継手１００の使用態様に応じて、下カバー部１１０の固定に使用する場合と使用しない場合とがある。
【００２７】
下カバー本体１１１には、背面開口部１１２が形成されている。この背面開口部１１２は、後述するように、配管継手１００を、取付面の配管孔（図１乃至図４には示さず）と連通させる場合に使用される。
【００２８】
また、下カバー部１１０は、背面板部１１３を備えている。この背面板部１１３は、背面開口部１１２を塞ぐように配置されている。この背面板部１１３の中央部分には、ねじ孔１１３ａが形成されている。
【００２９】
背面板部１１３は、複数（ここでは８個）の連結片１１４を用いて背面開口部１１２の外縁部に支持された状態で、下カバー本体１１１と一体形成されている。このため、背面板部１１３は、これらの連結片１１４を例えばニッパー等で切断することにより、下カバー部１１０から取り外すことができる。
【００３０】
下カバー本体１１１からは、ガイド片１１５ａ，１１５ｂ，１１５ｃ，１１５ｄが、延設されている。更に、これらガイド片１１５ａ〜１１５ｄの下端部（すなわち、ガイド片１１５ａ〜１１５ｄと下カバー本体１１１との境界部近傍）には、「第１の嵌合部」としての嵌合孔１１６ａ，１１６ｂ，１１６ｃ，１１６ｄが形成されている。後述するように、これらガイド片１１５ａ〜１１５ｄ及び嵌合孔１１６ａ〜１１６ｄは、上カバー部１２０を装着するために使用される。
【００３１】
上カバー部１２０は、下カバー部１１０に装着されて、下カバー本体１１１を覆うように、構成される。すなわち、上カバー部１２０を下カバー部１１０に装着したとき、配管継手１００は略立方形状を呈する。
【００３２】
この上カバー部１２０は、配管継手１００の４個の側面のうち、３個の側面に対応させて、開口部１２１，１２２，１２３を有している。後述するように、これらの開口部１２１〜１２３には、配管カバー５１０〜５３０（図５参照）が嵌合されると共に、配管５４０〜５６０が挿通される。
【００３３】
また、図２に示したように、上カバー部１２０は、突起状のストッパ部１２４ａ，１２４ｂ，１２４ｃ，１２５ｄを備えている。これらストッパ部１２４ａ〜１２４ｄは、上カバー部１２０を下カバー部１１０に装着したときに、ガイド片１１５ａ〜１１５ｄの上端部に当接するような位置に、形成される。
【００３４】
加えて、図２に示したように、上カバー部１２０は、「第２の嵌合部」としての嵌合凸部１２５ａ，１２５ｂ，１２５ｃ，１２５ｄを備えている。これら嵌合凸部１２５ａ〜１２５ｄは、上カバー部１２０を下カバー部１１０に装着したときに、嵌合孔１１６ａ〜１１６ｄと嵌合するように形成される。
【００３５】
このような構成において、上カバー部１２０を下カバー部１１０に装着する際には、まず、この上カバー部１２０を、ガイド片１１５ａ〜１１５ｄに案内させながら、下カバー部１１０に嵌め込む。このとき、ストッパ部１２４ａ〜１２４ｄがガイド片の上端部に当接することで、上カバー部１２０の移動が規制される。そして、嵌合凸部１２５ａ〜１２５ｄを嵌合孔１１６ａ〜１１６ｄに嵌合することで、上カバー部１２０が下カバー部１１０に保持されるようになる（図４参照）。
【００３６】
次に、この実施の形態１に係る配管継手１００の使用方法について、図５及び図６を用いて説明する。
【００３７】
この実施の形態１では、背面開口部１１２を介して配管継手１００を取付面の配管孔に連通させる場合には、背面板部１１３を取り外す。これにより、下カバー部１１０に、背面開口部１１２が形成される。この場合、下カバー本体１１１を取付面に正しく位置決めするためには、背面開口部１１２の外縁と取付孔の外縁とが同心円を成すようにすれば良い。
【００３８】
一方、配管継手１００を取付面の配管孔に連通させない場合、背面板部１１３は、取り外さずに、そのまま使用することが望ましい。これにより、下カバー部１１０の取付面への取付強度や、下カバー部１１０自体の強度を向上させることができる。更には、背面板部１１３を使用することにより、配管継手１００を外壁に取り付ける場合でも、外部から配管継手１００内部への虫や塵埃等の浸入を低減することができる。背面板部１１３を使用する場合、下カバー本体１１１を取付面に正しく位置決めするためには、取付面の所定位置に印付けをしたのち、この印の位置がねじ孔１１３ａの位置と一致するようにすれば良い。更に、このねじ孔１１３ａを用いて背面板部１１３をねじ止めすることにより、下カバー本体１１１を、より強固に取付面に固定することができる。
【００３９】
なお、背面板部１１３は、下カバー部１１０から取り外せるように形成されていれば、他の形成方法を用いても良い。例えば、背面板部を、環状の薄肉部分に連結された状態で下カバー本体１１１と一体形成し、この薄肉部分をナイフ等で切開することにより、背面開口部１１２が得られるようにしてもよい。
【００４０】
また、例えば、背面板部をねじ込み蓋式や係止式等に形成して、下カバー部１１０に着脱できるようにしても良い。この場合には、背面板部を簡単に取り外すことができる。
【００４１】
更に、背面開口部１１２や背面板部１１３は円形である必要は無く、例えば多角形等でも良い。
【００４２】
図５は、配管継手１００を取付面５００の配管孔５０１と連通させる場合の使用例を示す、分解斜視図である。
【００４３】
上述のように、配管孔５０１に配管を行う場合、背面板部１１３が、下カバー部１１０から取り外される（図３等参照）。
【００４４】
そして、この下カバー部１１０が、取付面５００に取り付けられる。このとき、下カバー部１１０は、背面開口部１１２の外縁と配管孔５０１の外縁とが同心円を成すように、位置決めされる。下カバー部１１０は、例えばネジ等で、取付面５００に固定される。
【００４５】
次に、この下カバー部１１０の側面開口部１２１，１２２，１２３（図１等参照）開口に合わせて、取付面５００に、配管カバー５１０，５２０，５３０のベース部材５１１，５２１，５３１を固定する。この固定も、例えばネジ等を用いて行う。
【００４６】
続いて、背面開口部１１２、配管孔５０１、ベース部材５１１，５２１，５３１等を用いて、配管５４０，５５０，５６０が配設される。図５に示したように、これらの配管５４０，５５０，５６０は、背面開口部１１２及び配管孔５０１１を介して、取付面（ここでは内壁面５００）から外壁面に延設される。例えば空調機の場合、これらの配管５４０，５５０，５６０は、冷媒管ペア、電線及びドレンホースである。
【００４７】
その後、ベース部材５１１，５２１，５３１に蓋部材５１２，５２２，５３２を装着する。これにより、配管カバー５１０，５２０，５３０が組み立てられた状態になる。そして、下カバー部１１０に上カバー部１２０を装着することで、配管継手１００が組み立てられて、配管構造が完成する。
【００４８】
図６は、配管継手１００を取付面５００の配管孔５０１と連通させない場合の使用例を示す分解斜視図である。
【００４９】
上述のように、配管孔５０１を使用しない場合、背面板部１１３は、下カバー部１１０から取り外されずに、そのまま使用される。
【００５０】
まず、下カバー部１１０が、取付面５００に取り付けられる。このとき、下カバー部１１０の位置合わせをするためには、例えば、予め取付面５００に印５０２を付けておき、この印５０２の位置にねじ孔１１３ａを一致させれば良い。上記図５の場合と同様、下カバー部１１０は、例えばネジ等で、取付面５００に固定される。
【００５１】
次に、この下カバー部１１０の開口部１２１，１２２，１２３（図１等参照）開口に合わせて、取付面５００に、配管カバー５１０，５２０，５３０のベース部材５１１，５２１，５３１を固定する。この固定も、例えばネジ等を用いて行う。
【００５２】
続いて、下カバー部１１０やベース部材５１１，５２１，５３１等を用いて、配管５４０，５５０が配設される。
【００５３】
その後、ベース部材５１１，５２１，５３１に蓋部材５１２，５２２，５３２を装着して配管カバー５１０，５２０，５３０を組み立て、更に、下カバー部１１０に上カバー部１２０を装着して配管継手１００を組み立てることにより、配管構造を完成する。
【００５４】
図７及び図８は、この実施の形態１に係る配管継手１００を用いた配管構造の例を示す概念図である。
【００５５】
図７（ａ）、（ｂ）は、配管継手１００の背面開口部１１２を配管孔に連通させた配管構造の例である。
【００５６】
図７（ａ）の例では、下階には室内機７０１，７０２が設置されており、また、上階には室内機７０３が設置されている。室内機７０１，７０２からは、配管５４０，５５０が、配管カバー５１０，５２０を用いて、配管継手１００まで延設される。一方、室内機７０３からは、配管５６０が、天井７１１を貫通すると共に、配管カバー５３０内を通過して配管継手１００まで延設される。そして、これら配管５４０，５５０，５６０は、配管継手１００及び配管孔５０１を介して、屋外まで延設される。このような配管構造は、例えば、一階の室内機７０１，７０２と二階の室内機７０３との両方を、地上の室外機（図示せず）に接続したい場合に有用である。
【００５７】
図７（ｂ）の例では、同じ階に二台の室内機７０１，７０２が設置されている。これら室内機７０１，７０２からは、配管５４０，５５０が、配管カバー５１０，５２０を用いて、配管継手１００まで延設される。ここで、配管５４０，５５０は、冷媒管ペア及び電線５４１，５５１と、ドレン管５４２，５５２とを含む。このうち、冷媒管ペア及び電線５４１，５５１は、配管継手１００及び配管孔７２１を介して、屋外まで延設される。一方、ドレン管５４２，５５２は、配管カバー５３０を介して、そのまま取付面の下方に延設され、配管カバー７２２及び配管孔７２３を介して屋外まで延設される。このような配管構造は、例えば、冷媒管ペア及び電線５４１，５５１用の配管孔７２１とドレン管５４２，５５２用の配管孔７２３とが個別に設けられている場合に有用である。
【００５８】
図８（ａ）、（ｂ）は、配管継手１００の背面開口部１１２を配管孔に連通させない配管構造の例である。
【００５９】
図８（ａ）の例では、一台の室内機７０２が設置されている。この室内機７０２からは、配管５５０が、配管カバー５３０を用いて、配管継手１００まで延設される。ここで、配管５５０は、冷媒管ペア及び電線５５１とドレン管５５２とを含む。このうち、冷媒管ペア及び電線５５１は、配管カバー５１０内を通過して、天井７１１内に達し、更に、天井７１１内を通過して屋外まで延設される。一方、ドレン管５５２は、配管カバー５２０内を通過して下方に延設され、更に、配管カバー７２２及び配管孔７２３を介して屋外まで延設される。このような配管構造は、例えば、冷媒管ペア及び電線５５１を隠すために天井内配管を採用する一方で、ドレン管５５２は室内機７０２よりも下方に配置して排水を容易にした場合に有用である。
【００６０】
図８（ｂ）の例では、同じ階に二台の室内機７０１，７０２が設置されている。これら室内機７０１，７０２からは、配管５４０，５５０が、配管カバー５１０，５２０を用いて、配管継手１００まで延設される。そして、配管５４０，５５０は、配管カバー５３０を介して、そのまま取付面の下方に延設され、配管カバー７２２及び配管孔７２３を介して屋外まで延設される。このような配管構造は、例えば、１個の配管孔７２３が設けられた部屋に二台の室内機７０１，７０２を設置したい場合であって、既存の配管孔７２３より上方に室内機７０１，７０２を設置したい場合に有用である。
【００６１】
この実施の形態１では、この発明について、空調機の屋内配管に適用する場合を例に採って説明したが、この発明が空調機以外の配管や屋外配管等にも適用できることは、もちろんである。
【００６２】
なお、この実施の形態１では、配管継手１００に背面板部１１３を設ける場合を例に採って説明したが、例えば虫の浸入等や取り付け強度等が問題にならない場合や、配管継手の取付強度や配管継手自体の強度が問題にならない場合には、背面板部１１３を備えていない配管継手を用いても良い。
【符号の説明】
【００６３】
１００  配管継手
１１０  下カバー部
１１１  下カバー本体
１１１ａ，１１１ｂ，１１１ｃ，１１３ａ  ねじ孔
１１２  背面開口部
１１３  背面板部
１１４  連結片
１１５ａ，１１５ｂ，１１５ｃ，１１５ｄ  ガイド片
１１６ａ，１１６ｂ，１１６ｃ，１１６ｄ  嵌合孔
１２０  上カバー部
１２１，１２２，１２３  開口部
１２４ａ，１２４ｂ，１２４ｃ，１２５ｄ  ストッパ部
１２５ａ，１２５ｂ，１２５ｃ，１２５ｄ  嵌合凸部
５００  取付面
５１０，５２０，５３０  配管カバー
５１１，５２１，５３１  ベース部材
５１２，５２２，５３２  蓋部材
５４０，５５０，５６０  配管
【図１】
2015014341.tif 000003
【図２】
2015014341.tif 000004
【図３】
2015014341.tif 000005
【図４】
2015014341.tif 000006
【図５】
2015014341.tif 000007
【図６】
2015014341.tif 000008
【図７】
2015014341.tif 000009
【図８】
2015014341.tif 000010